(57)【要約】【課題】筐体本体の天井の上部に、更に、天井遮光板を備えた電気機器収納用箱において、ボルトの取り付けを別途行うことなく電気機器収納用箱の移動が可能で、かつ、天井遮光板への補強加工という手段によらず、積雪等の荷重によって天井遮光板が変形することを防止できる技術を提供すること。【解決手段】筐体本体１の対向する側面上部に、各々、板状の筐体吊り上げ用金具１を取り付け、該筐体吊り上げ用金具１０は、板状の本体部１１と、該板状の本体部１１の端部から上方に突出して形成された吊り孔部８を備え、該板状の本体部１１を筐体本体１の天井板２と天井遮光板３との間に形成される空間に配置し、天井遮光板３と前記筐体吊り上げ用金具１０を固定し、該吊り孔部８を、天井遮光板３に形成したスリット９から外部に貫通させて配置した。【選択図】図２
2015029026.tif 000002
【特許請求の範囲】
【請求項１】
筐体本体の天井板の上部に、該天井板を被覆する天井遮光板を備えた電気機器収納用箱の吊り上げ構造であって、
筐体本体の対向する側面上部に、各々、筐体本体の側面の板厚よりも肉厚に形成された板状の筐体吊り上げ用金具を取り付け、
該筐体吊り上げ用金具は、板状の本体部と、該板状の本体部の端部から上方に突出して形成された吊り孔部を備え、
該板状の本体部を該天井板と天井遮光板との間に形成される空間に配置し、天井遮光板と前記筐体吊り上げ用金具を固定し、該吊り孔部を、天井遮光板に形成したスリットから外部に貫通させて配置したことを特徴とする電気機器収納用箱の吊り上げ構造。
【請求項２】
前記筐体吊り上げ用金具は、前記板状の本体部の両端部を、各々、筐体の内周方向に向けて折り曲げた折り曲げ辺を備え、天井遮光板に荷重が掛かった際に、該折り曲げ辺で天井遮光板の下面を支えることを特徴とする請求項１記載の電気機器収納用箱の吊り上げ構造。
【請求項３】
前記筐体吊り上げ用金具の前記板状の本体部は、前記天井遮光板の天面板の端部を折り曲げて形成した側面板に当接するように固定したことを特徴とする請求項２記載の電気機器収納用箱の吊り上げ構造。
【請求項４】
前記吊り孔部は、筐体本体の前後に渡って形成した前記板状の本体部の両端部から上方に突出して形成し、前記板状の本体の下側面を延長して、前記筐体本体の側面への取り付け部を形成したことを特徴とする請求項２記載の電気機器収納用箱の吊り上げ構造。
【発明の詳細な説明】
【技術分野】
【０００１】
本発明は、電気機器収納用箱の吊り上げ構造に関するものである。
【背景技術】
【０００２】
重量が大きい電気機器収納用箱の移動手段として、筐体の天井板を除去した上で、吊り下げ用に形成されている孔にボルトを取り付けて、ボルトにワイヤを通して、ワイヤをクレーンに掛けて、クレーンで吊り下げて移動する技術が開示されている（特許文献１）。
【０００３】
しかし、移動の度に天井板を外してボルトを取り付け、移動後には、再度ボルトを取り外して天井板を取り付ける作業が煩雑であるという問題があった。
【０００４】
これに対し、屋外設置を想定して筐体本体全体を遮光板で被覆した電気機器収納用箱において、筐体本体の天井の４隅にボルトを取り付けるとともに、筐体本体の天井の上部に配置される遮光板に前記のボルトの頭部を貫通させる孔部を形成した構造が開示されている（特許文献２）。
【０００５】
しかし、特許文献２の構造では、筐体本体の天井の上部と遮光板との間に形成される空間には、４隅にボルトが配置されているのみであり、孔部を形成したことにより、遮光板の強度が弱くなってしまう問題点や、例えば豪雪地帯で使用される場合、筐体本体の天井の上部に配置される遮光板が積雪の重みで変形するのを防止するために、遮光板を支えて遮光板の変形を防止するための補強加工が別途必要になるという問題があった。なお、特許文献３の構造では板材吊り上げ金具を筐体本体の側部に取り付けたものもあるが、遮光板の考慮はされていない構造である。
【先行技術文献】
【特許文献】
【０００６】
【特許文献１】特開平７−６６５６５号公報
【特許文献２】特開平１０−２２４０４９号公報
【特許文献３】特開２０００−３３２４４１号公報
【発明の概要】
【発明が解決しようとする課題】
【０００７】
本発明の目的は前記の問題を解決し、筐体本体の天井の上部に、更に、天井遮光板を備えた電気機器収納用箱において、筐体吊り上げ用のボルトの取り付けを別途行うことなく電気機器収納用箱の移動が可能で、かつ、天井遮光板への補強加工という手段によらず、天井遮光板が変形することを防止できる技術を提供することである。
【課題を解決するための手段】
【０００８】
上記課題を解決するためになされた本発明の電気機器収納用箱の吊り上げ構造は、筐体本体の天井板の上部に、該天井板を被覆する天井遮光板を備えた電気機器収納用箱の吊り上げ構造であって、筐体本体の対向する側面上部に、各々、筐体本体の側面よりも肉厚に形成された板状の筐体吊り上げ用金具を取り付け、該筐体吊り上げ用金具は、板状の本体部と、該板状の本体部の端部から上方に突出して形成された吊り孔部を備え、該板状の本体部を該天井板と天井遮光板との間に形成される空間に配置し、天井遮光板と前記筐体吊り上げ用金具を固定し、該吊り孔部を、天井遮光板に形成したスリットから外部に貫通させて配置したことを特徴とするものである。
【０００９】
請求項２記載の発明は、請求項１記載の電気機器収納用箱の吊り上げ構造において、前記筐体吊り上げ用金具は、前記板状の本体部の両端部を、各々、筐体の内周方向に向けて垂直に折り曲げた折り曲げ辺を備え、天井遮光板に荷重が掛かった際に、該折り曲げ辺で天井遮光板の下面を支えることを特徴とするものである。
【００１０】
請求項３記載の発明は、請求項２記載の電気機器収納用箱の吊り上げ構造において、前記筐体吊り上げ用金具の前記板状の本体部は、前記天井遮光板の天面板の端部を折り曲げて形成した側面板に当接するように固定したことを特徴とするものである。
【００１１】
請求項４記載の発明は、請求項１記載の電気機器収納用箱の吊り上げ構造において、前記吊り孔部を、筐体本体の前後に渡って形成した前記板状の本体部の両端部から上方に突出し、前記板状の本体の下側面を延長して、前記筐体本体の側面への取り付け部を形成したことを特徴とするものである。
【発明の効果】
【００１２】
本発明に係る電気機器収納用箱の吊り上げ構造は、筐体本体の天井板の上部に、該天井板を被覆する天井遮光板を備えた電気機器収納用箱の吊り上げ構造において、筐体本体の対向する側面上部に、各々、板状の筐体吊り上げ用金具を取り付け、該筐体吊り上げ用金具は、板状の本体部と、該板状の本体部の端部から上方に突出して形成された吊り孔部を備え、該板状の本体部を該天井板と天井遮光板との間に形成される空間に配置し、天井遮光板のと前記筐体吊り上げ用金具を固定しているため、天井遮光板への補強加工という手段によらず、天井遮光板が変形することを防止できる。また、吊り孔部を、天井遮光板に形成したスリットから外部に貫通させて配置しているため、筐体吊り上げ用のボルトの取り付けを別途行うことなく、また天井遮光板を取り外しすることなく、簡単に、電気機器収納用箱の移動を行うことができる。
【００１３】
請求項２記載の発明のように、前記筐体吊り上げ用金具は、前記板状の本体部の両端部を、各々、筐体の内周方向に向けて垂直に折り曲げた折り曲げ辺を備え、天井遮光板に荷重が掛かった際に、該折り曲げ辺で天井遮光板の下面を支える構成とすることにより、更に、天井遮光板の補強効果を増強することができる。
【００１４】
請求項３記載の発明のように、前記筐体吊り上げ用金具の前記板状の本体部は、前記天井遮光板の天面板の端部を折り曲げて形成した側面板に当接するように固定したため、更に、天井遮光板の補強効果を増強することができる。
【００１５】
請求項４記載の発明のように、前記吊り孔部は、筐体本体の前後に渡って形成した前記板状の本体部の両端部から上方に突出して形成し、前記板状の本体の下側面を延長して、前記筐体本体の側面への取り付け部を形成したことにより、天井遮光板に荷重が掛かった際に、折り曲げ辺と共に取り付け部による天井遮光板の補強の他、筐体本体の補強も兼ねることが可能である。
【図面の簡単な説明】
【００１６】
【図１】電気機器収納用箱の分解説明図である。
【図２】電気機器収納用箱の全体斜視図である。
【図３】筐体吊り上げ用金具の全体斜視図である。
【図４】Ａ−Ａ断面図である。
【発明を実施するための形態】
【００１７】
以下に本発明の好ましい実施形態を示す。
【００１８】
本実施形態の電気機器収納用箱の吊り上げ構造は、図１に示すように、筐体本体１の天井板２の上部に、該天井板２を被覆する天井遮光板３を備えた電気機器収納用箱４の吊り上げ構造に関するものである。なお、筐体本体１は、前後方向に扉部１ａ、扉部１ａの左右側面に側板１ｂを形成した構成を有するものである。
【００１９】
電気機器収納用箱４は、通信機器などを搭載するものであり、図１に示すように、太陽光の光を遮蔽する遮光板５で、筐体本体１の天井板２および側板１ｂを被覆している。遮光板５は、筐体本体１との間に、空隙をもって配置され、この空隙に空気が流れて、電気機器収納用箱内部の温度上昇を防ぐ機能も奏している。
【００２０】
図１に示すように、天井遮光板３は、天面板６、天面板６の４方端部を折り曲げて形成した側面板７からなり、天面板６には、後述する筐体吊り上げ用金具１０の吊り孔部８を貫通突出するためのスリット９が４箇所形成されている。
【００２１】
図１に示すように、筐体吊り上げ用金具１０は、板状の本体部１１と、該板状の本体部１１の両端部から上方に突出して形成された吊り孔部８を前後２カ所に備えている。このような筐体吊り上げ用金具１０を、筐体本体１の対向する左右側面上部に、筐体本体１の前後方向に渡るように配置している。例えば、筐体本体１の天井板２の４隅に各々単独の吊り上げ用のボルトを取り付けた場合、ボルトの面の位置合わせに手間が掛かるのに対し、前記構成の本発明では、４か所の吊り孔部８の位置も孔の向きも固定されているため、位置合わせが不要となる。また、筐体吊り上げ用金具１０は図３に示すように、筐体本体１の側板１ｂよりも肉厚に形成されており、吊り上げ時の荷重を支える他、天井遮光板３と共に筐体本体１の側面の補強も兼ねることが可能である。
【００２２】
図１及び図３に示すように、筐体吊り上げ用金具１０は天井遮光板３を固定する固定孔１４が形成されている。筐体吊り上げ用金具１０は天井遮光板３の側面板７に固定するため天井遮光板３の補強構造となる。さらに、天井遮光板３の筐体本体１へ固定孔形成が不要となり、筐体本体１の必要以上の加工を無くして防水性を向上させることができる。なお、筐体吊り上げ用金具１０と天井遮光板３はねじ固定するものであるが、溶接にて固定するものであっても良いものである。また、本実施形態の筐体吊り上げ用金具１０は、板状の本体部１１と側面板７と当接するように固定しているため、天井遮光板３により強固に補強することが可能となる。
【００２３】
図２に示すように、吊り孔部８を、天井遮光板３に形成したスリット９から外部に貫通させて配置しているため、筐体本体１の吊り上げを行う際に天井遮光板３を外すことなく、電気機器収納用箱の移動を行うことが可能となるので作業を簡略化することが可能である。
【００２４】
図３に示すように、筐体吊り上げ用金具１０は、板状の本体部１１の両端部を、各々、筐体の内周方向に向けて垂直に折り曲げた折り曲げ辺１２を備えている。吊り孔部８にワイヤ等を通して電気機器収納用箱の吊り上げを行う際には、吊り孔部８大きな負荷がかかるため、この負荷に耐え得る補強構造とするため、折り曲げ辺１２は、吊り孔部８が形成された辺の上端部に渡るように形成しておくことが望ましい。
【００２５】
図４に示すように、板状の本体部１１および折り曲げ辺１２を、天井板２と天井遮光板３の天面板６との間に形成される空間に配置して、天面板６の下面を支えているため、天井遮光板３への補強加工という手段によらず、積雪等の荷重によって天井遮光板３が変形することを防止できる。なお、本実施形態においては、折り曲げ辺１２を板状の本体部１１の両端部に形成したが、筐体本体１の奥行き方向が深い場合などには、板状の本体部１１の中央付近などにも折り曲げ辺１２を形成して天井遮光板３の下面の補強を行うものであっても良い。通常、折り曲げ辺１２の下端部は筐体本体１の天面板６に当接せず、地震等の荷重が掛かったときに、天面板６と当接し筐体本体１の変形を防止することが可能である。勿論、荷重が掛かる前に当接しても良い。同様に、天井遮光板３の下面と折り曲げ辺１２の上端部も浮いた状態となっており、積雪等の荷重が掛かったときに当接するように形成しており、少なくとも天井遮光板３に荷重が掛かった場合に折り曲げ辺１２で支える構造としておくものである。また、本実施形態のように、対向する側面に、各々、筐体吊り上げ用金具１０を形成することが望ましいが、筐体本体１の側面の前後端部に１つの吊り孔部を形成した板材の筐体吊り上げ用金具を形成するものであっても良い、このような実施形態においても、吊り孔部を天井遮光板３のスリット９より突出するように形成し、また折り曲げ辺１２を形成しておくことが望ましい。
【００２６】
その他、筐体吊り上げ用金具１０には、図３に示すように、板状の本体部１１の下側面を延長して、筐体本体１への取り付け部１３が形成され、取り付け部１３は折り曲げ辺１２よりも下方位置にて固定されている。また、図４に示すように、筐体本体１の対向する側面上部に取り付けられている。当該構造とすることにより、折り曲げ辺１２と取り付け部１３を筐体本体１に当接させて、筐体吊り上げ用金具１０にかかる回転方向への力を規制することができ、更に折り曲げ辺１２と取り付け部１３の２箇所で天井遮光板３にかかる荷重に対しての強度を高めるとともに、筐体本体１の側板１ｂの補強となるため、全体の強度を高めることができる。
【符号の説明】
【００２７】
１  筐体本体
１ａ  扉部
１ｂ  側板
２  天井板
３  天井遮光板
４  電気機器収納用箱
５  遮光板
６  天面板
７  側面板
８  吊り孔部
９  スリット
１０  筐体吊り上げ用金具
１１  板状の本体部
１２  折り曲げ辺
１３  取り付け部
１４  固定孔
【図１】
2015029026.tif 000003
【図２】
2015029026.tif 000004
【図３】
2015029026.tif 000005
【図４】
2015029026.tif 000006